(57)【要約】  本発明は空気清浄機及び浄水システムを提供する。該空気清浄機はケージング（１）、真空空気ポンプ（２）及びオゾン発生器（３）を備え、ケージング（１）内に少なくとも１本の紫外線ランプ（４）が設けられ、ケージング（１）のうち紫外線ランプ（４）の一端に対応する位置に吸気口（５）が設けられ、紫外線ランプ（４）の他端に対応する位置に少なくとも１つの排気口（６）が設けられ、空気濾過ユニット（７）は空気乾燥ユニット（８）によって吸気口（５）に連通し、真空空気ポンプ（２）の吸気端はケージング（１）のキャビティに連通し、真空空気ポンプ（２）の排気端はオゾン発生器（３）の吸気端に連通し、オゾン発生器（３）の排気端はケージング（１）のキャビティに連通する。【選択図】  図１
2021532330.tif 000002
【特許請求の範囲】
【請求項１】
空気清浄機であって、
ケーシング（１）、真空空気ポンプ（２）及びオゾン発生器（３）を備え、前記ケーシング（１）内に少なくとも１本の紫外線ランプ（４）が設けられ、ケーシング（１）のうち紫外線ランプ（４）の一端に対応する位置に吸気孔（５）が設けられ、紫外線ランプ（４）の他端に対応する位置に少なくとも１つの排気孔（６）が設けられ、空気濾過ユニット（７）は空気乾燥ユニット（８）によって吸気孔（５）に連通し、真空空気ポンプ（２）の吸気端はケーシング（１）のキャビティに連通し、真空空気ポンプ（２）の排気端はオゾン発生器（３）の吸気端に連通し、オゾン発生器（３）の排気端はケーシング（１）のキャビティに連通することを特徴とする空気清浄機。
【請求項２】
ケーシング（１）のキャビティにおいて、紫外線ランプ（４）の長手方向に沿って少なくとも１枚の第１仕切板（９）が設けられ、第１仕切板（９）は紫外線ランプ（４）の長手方向に垂直であることを特徴とする請求項１に記載の空気清浄機。
【請求項３】
第１仕切板（９）に複数の第１貫通孔（９０１）が設けられることを特徴とする請求項２に記載の空気清浄機。
【請求項４】
前記ケーシング（１）は円柱体又は立方体であることを特徴とする請求項１〜３のいずれか１項に記載の空気清浄機。
【請求項５】
前記ケーシング（１）の長手方向は水平面に平行、又は水平面に垂直であることを特徴とする請求項１〜３のいずれか１項に記載の空気清浄機。
【請求項６】
浄水塔（１０）を備える浄水システムであって、
請求項１〜５のいずれか１項に記載の空気清浄機をさらに備え、空気清浄機の排気孔（６）は浄水塔（１０）のキャビティに連通することを特徴とする浄水システム。
【請求項７】
浄水塔（１０）のキャビティにガス導入管（１１）が設けられ、前記排気孔（６）はガス導入管（１１）の一端に連通し、ガス導入管（１１）の他端に砂濾過ヘッド（１２）が設けられることを特徴とする請求項６に記載の浄水システム。
【請求項８】
浄水塔（１０）のキャビティに導流管（１３）が設けられ、浄水塔（１０）の頂部に浄水入口（１４）が設けられ、浄水入口（１４）は導流管（１３）の一端に連通し、導流管（１３）の他端は浄水塔（１０）の底部に伸び、導流管（１３）の側壁に長手方向に沿って貫通溝（１３０１）が開けられることを特徴とする請求項６に記載の浄水システム。
【請求項９】
浄水塔（１０）のキャビティにおいて、浄水塔（１０）の長手方向に沿って少なくとも１枚の第２仕切板（１５）が設けられ、第２仕切板（１５）は浄水塔（１０）の長手方向に垂直であることを特徴とする請求項６〜８のいずれか１項に記載の浄水システム。
【請求項１０】
第２仕切板（１５）に複数の第２貫通孔（１５０１）が設けられることを特徴とする請求項１０に記載の浄水システム。
【発明の詳細な説明】
【技術分野】
【０００１】
本発明は、特に空気清浄機及び浄水システムに関する。
【背景技術】
【０００２】
従来の浄水塔において、浄水塔のキャビティの頂部に紫外線ランプが設置され、浄水塔の頂部にオゾン入口及び空気入口が設置され、濾過・乾燥後の空気は空気入口から浄水塔に入るとともに、オゾンはオゾン入口から浄水塔に入り、空気はオゾン及び紫外線ランプの殺菌消毒作用によって浄水塔の水面の上方に保護バリアを形成し、浄水塔内の浄水を汚染から保護する。
【０００３】
このような既存の浄水塔の構造は浄水塔内の浄水が汚染されないことを確保することができない。その理由は、浄水塔内に入った空気が殺菌・消毒されていないので、浄水塔内に入った空気そのものに細菌等の有害物質があり、空気が浄水塔に入った後、オゾン及び紫外線による殺菌消毒を行う前に水質を汚染する可能性が高く、その結果、浄水塔内の浄水を汚染から保護する効果を実現できないためである。
【発明の概要】
【発明が解決しようとする課題】
【０００４】
本発明の目的は、上記従来技術の欠点に対して、空気が浄水塔内の浄水を汚染することを根源から防止し、浄水塔内の浄水が汚染されないことを確保できる空気清浄機及び浄水システムを提供することにある。
【課題を解決するための手段】
【０００５】
上記技術的課題を解決するために、本発明は以下の技術案を用いる。
【０００６】
空気清浄機であって、ケーシング、真空空気ポンプ及びオゾン発生器を備え、前記ケーシング内に少なくとも１本の紫外線ランプが設けられ、ケーシングのうち紫外線ランプの一端に対応する位置に吸気孔が設けられ、紫外線ランプの他端に対応する位置に少なくとも１つの排気孔が設けられ、空気濾過ユニットは空気乾燥ユニットによって吸気孔に連通し、真空空気ポンプの吸気端はケーシングのキャビティに連通し、真空空気ポンプの排気端はオゾン発生器の吸気端に連通し、オゾン発生器の排気端はケーシングのキャビティに連通することを特徴とする。
【０００７】
上記構造によれば、濾過・乾燥後の空気は紫外線ランプの一端からケーシングに入って、長手方向に沿って紫外線ランプを流れる（空気は長手方向に沿って流れるので、殺菌時間が長く、殺菌効果が高い）とともに、ケーシング内の紫外線ランプによる殺菌消毒後の空気はオゾン発生器に入って、オゾンが発生してケーシングに入り、最終的に、排気孔から殺菌消毒後の空気が排出される。空気清浄機の排気孔から排出された空気を浄水器に送ることにより、空気が浄水塔内の浄水を汚染することを根源から防止し、浄水塔内の浄水が汚染されないことを確保することができる。また、空気清浄機は、いかなる装置にも殺菌消毒後の空気を供給することができる。
【０００８】
さらに、ケーシングのキャビティにおいて紫外線ランプの長手方向に沿って少なくとも１枚の第１仕切板が設けられ、第１仕切板は紫外線ランプの長手方向に垂直である。
【０００９】
上記構造によれば、ケーシング内の空気流通経路の末端の空気を優先的に送り出して使用するので、殺菌消毒効果が高い。
【００１０】
さらに、第１仕切板に複数の第１貫通孔が設けられる。
【００１１】
第１仕切板はケーシングを複数のチャンバーに仕切り、隣接するチャンバー同士は第１貫通孔を介して連通し、空気が流れる経路となる。
【００１２】
好適な形態として、前記ケーシングは円柱体又は立方体である。
【００１３】
好適な形態として、前記ケーシングの長手方向は水平面に平行、又は水平面に垂直である。
【００１４】
同じ技術的構想に基づいて、本発明は、浄水塔を備え、排気孔が浄水塔のキャビティに連通する空気清浄機を更に備える浄水システムを更に提供する。
【００１５】
さらに、浄水塔のキャビティにガス導入管が設けられ、前記排気孔はガス導入管の一端に連通し、ガス導入管の他端に砂濾過ヘッドが設けられる。
【００１６】
空気清浄機から供給された殺菌消毒後の空気が、砂濾過ヘッドによって浄水に注入され、浄水を殺菌・消毒する。
【００１７】
さらに、浄水塔のキャビティに導流管が設けられ、浄水塔の頂部に浄水入口が設けられ、浄水入口は導流管の一端に連通し、導流管の他端は浄水塔の底部に伸び、導流管の側壁に長手方向に沿って貫通溝が開けられる。
【００１８】
オゾンは、経時的に分解されるため、浄水塔底部の水は長期間堆積することで活性を失いやすい。従来技術では、オゾン水は浄水入口から入って、上方から浄水塔のキャビティに自在に落ち、注入したばかりのオゾン水は浄水塔底部に堆積した水と混合することがなく、浄水塔底部の水は滞留水となりやすく、その結果、水質に影響してしまう。本発明では、導流管によってオゾン水を浄水塔の底部に導入し、貫通溝を設置することにより、浄水塔において、長手方向にわたってオゾン水が注入され、これにより、浄水塔内に滞留水を形成することを防止し、水質を確保する。
【００１９】
さらに、浄水塔のキャビティにおいて浄水塔の長手方向に沿って少なくとも１枚の第２仕切板が設けられ、第２仕切板は浄水塔の長手方向に垂直である。
【００２０】
上記構造によれば、ケーシング内の浄水流通経路の末端での浄水を優先的に送り出して使用することにより、滞留水の形成を更に防止し、水質を更に確保する。
【００２１】
さらに、第２仕切板に複数の第２貫通孔が設けられる。
【００２２】
第２仕切板は浄水塔を複数のチャンバーに仕切り、隣接するチャンバー同士は第２貫通孔を介して連通し、浄水及び空気が流れる経路となる。
【発明の効果】
【００２３】
従来技術に比べて、本発明は、空気が浄水塔内の浄水を汚染することを根源から防止し、浄水塔内の浄水が汚染されないことを確保することができるとともに、浄水塔内に滞留水を形成することを防止し、水質を確保することができる。
【図面の簡単な説明】
【００２４】
【図１】図１は空気清浄機の一実施例の構造模式図である。
【図２】図２は浄水システムの一実施例の構造模式図である。
【発明を実施するための形態】
【００２５】
図１に示すように、空気清浄機は、ケーシング１、真空空気ポンプ２及びオゾン発生器３を備え、前記ケーシング１内に少なくとも１本の紫外線ランプ４が設けられ、ケーシング１のうち、紫外線ランプ４の一端に対応する位置に吸気孔５が設けられ、紫外線ランプ４の他端に対応する位置に少なくとも１つの排気孔６が設けられ、空気濾過ユニット７は空気乾燥ユニット８によって吸気孔５に連通し、真空空気ポンプ２の吸気端はケーシング１のキャビティに連通し、真空空気ポンプ２の排気端はオゾン発生器３の吸気端に連通し、オゾン発生器３の排気端はケーシング１のキャビティに連通する。排気孔６の数は少なくとも１つであるが、必要に応じて設定されてもよい。
【００２６】
ケーシング１のキャビティにおいて紫外線ランプ４の長手方向に沿って少なくとも１枚の第１仕切板９が設けられ、第１仕切板９は紫外線ランプ４の長手方向に垂直である。第１仕切板９に複数の第１貫通孔９０１が設けられる。第１仕切板９は紫外線に耐えられる材料で製造され、その数がケーシング１の体積に応じて決定される。
【００２７】
前記ケーシング１は円柱体又は立方体である。前記ケーシング１の長手方向は水平面に平行、又は水平面に垂直である。
【００２８】
図２に示すように、浄水システムは浄水塔１０を備え、更に前記空気清浄機を備え、空気清浄機の排気孔６は浄水塔１０のキャビティに連通する。
【００２９】
浄水塔１０のキャビティにガス導入管１１が設けられ、前記排気孔６はガス導入管１１の一端に連通し、ガス導入管１１の他端に砂濾過ヘッド１２が設けられる。
【００３０】
浄水塔１０のキャビティに導流管１３が設けられ、浄水塔１０の頂部に浄水入口１４が設けられ、浄水入口１４は導流管１３の一端に連通し、導流管１３の他端は浄水塔１０の底部に伸び、導流管１３の側壁に長手方向に沿って貫通溝１３０１が開けられる。
【００３１】
浄水塔１０のキャビティにおいて浄水塔１０の長手方向に沿って少なくとも１枚の第２仕切板１５が設けられ、第２仕切板１５は浄水塔１０の長手方向に垂直である。第２仕切板１５に複数の第２貫通孔１５０１が設けられる。第２仕切板１５の取付位置の決定方法は以下のとおりである。浄水塔１０の最高水位から、本体が１０分間乃至１５分間で製造した浄水（オゾン水）を浄水塔１０内に供給したときの体積に対応する浄水塔１０内の高さを計算し、この高さの箇所に、浄水塔１０の断面形状と同じであるが、浄水塔１０の断面より少々小さい第２仕切板１５を１枚取り付ける。浄水ボックスの実際の貯水容積に基づき、該方法により、必要に応じて浄水塔１０内に多孔付き第２仕切板１５を取り付ける。
【００３２】
空気清浄機と浄水塔１０はが互いに独立したものであってもよく、この場合、空気清浄機は浄水塔１０の片側に独立して配置される。空気清浄機は浄水塔１０と一体化して浄水塔１０に配置されてもよい。また、空気清浄機は、製水装置に殺菌消毒後のオゾン含有空気を供給し、製水装置のメインシャーシ内に収容することもできる。
【００３３】
以上は、図面を参照しながら本発明の実施例を説明したが、本発明は上記具体的な実施形態に限らず、上記具体的な実施形態は模式的なものであって、制限的なものではない。当業者が本発明の示唆に基づいて、本発明の趣旨及び特許請求の範囲を逸脱せずに、更に種々の変更を行うことができ、これらの変更はいずれも本発明の保護範囲内に属する。
【符号の説明】
【００３４】
１  ケーシング
２  真空空気ポンプ
３  オゾン発生器
４  紫外線ランプ
５  吸気孔
６  排気孔
７  空気濾過ユニット
８  空気乾燥ユニット
９  第１仕切板
９０１  第１貫通孔
１０  浄水塔
１１  ガス導入管
１２  砂濾過ヘッド
１３  導流管
１３０１  貫通溝
１４  浄水入口
１５  第２仕切板
１５０１  第２貫通孔
【図１】
2021532330.tif 000003
【図２】
2021532330.tif 000004
【国際調査報告】
2021532330.tif 000005
2021532330.tif 000006
2021532330.tif 000007
2021532330.tif 000008